(57)【特許請求の範囲】
【請求項１】
同一の基板上に複数の表示用ＬＥＤがドットマトリックス状に配置されて成るＬＥＤマトリックスユニットを複数個組み合わせたＬＥＤ表示装置であって、前記ＬＥＤマトリックスユニットは、前記複数の表示用ＬＥＤの一部を他の主表示用ＬＥＤと発光色が異なり副画像の表示を行う副表示用ＬＥＤに置き換えた構成とされ、該副表示用ＬＥＤは、点灯するかあるいは不点灯となることにより、主表示を装飾、強調するために主表示と異なる表示を行うことを特徴とするＬＥＤ表示装置。
【請求項２】
請求項１に記載のＬＥＤ表示装置において、前記副表示用ＬＥＤが主表示と重ならない位置に配置され、主表示が固定表示される場合、前記副表示用ＬＥＤは不点灯となることを特徴とするＬＥＤ表示装置。
【請求項３】
請求項１に記載のＬＥＤ表示装置において、前記副表示用ＬＥＤが主表示と重なる位置に配置され、前記副表示用ＬＥＤは、副表示用データあるいは主表示用データを選択して表示することを特徴とするＬＥＤ表示装置。
【請求項４】
請求項１に記載のＬＥＤ表示装置において、前記副表示用ＬＥＤが主表示と重なる位置に配置され、前記副表示用ＬＥＤが主表示の点灯する部分と重なる場合、前記副表示用ＬＥＤは点灯することを特徴とするＬＥＤ表示装置。
【請求項５】
請求項２記載のＬＥＤ表示装置において、主表示用ＬＥＤにより文字が表示されるときに前記副表示用ＬＥＤの一部が点灯することを特徴とするＬＥＤ表示装置。
【請求項６】
請求項１〜５のいずれかに記載のＬＥＤ表示装置において、前記主表示用ＬＥＤを駆動すると共に前記副表示用ＬＥＤも駆動する駆動回路を備えることを特徴とするＬＥＤ表示装置。
【請求項７】
請求項１〜５のいずれかに記載のＬＥＤ表示装置において、前記主表示用ＬＥＤの点灯制御を行うと共に前記副表示用ＬＥＤの点灯制御を行う点灯制御回路を備えることを特徴とするＬＥＤ表示装置。
【発明の詳細な説明】
【０００１】
【発明の属する技術分野】
本発明は、複数のＬＥＤが配列されて構成され、文字データ等の画像を表示するＬＥＤ表示装置に関する。
【０００２】
【従来の技術】
従来より、複数の主表示用ＬＥＤが配置されて成り主画像の表示を行う主表示部と、その主表示部の周囲や内部に複数の副表示用ＬＥＤが配置されて成り副画像の表示を行う副表示部とを備えたＬＥＤ表示装置がある。これは、主表示部の主画像の装飾や強調等により表示効果を高めるために、副表示部を設けて表示するものである。特に、主表示部に使用しているＬＥＤが単色の場合、表示自体が単調となり易く、広告や宣伝でのアピール性に欠けることがあるので、そのような用途のときに使用されていた。
【０００３】
このような従来のＬＥＤ表示装置について、図５を用いて説明する。
【０００４】
図５の要部正面図に示したＬＥＤ表示装置は、複数の主表示用ＬＥＤ１１が配置されて成り主画像の表示を行う主表示部と、複数の副表示用ＬＥＤ１２が配置されて成り副画像の表示を行う副表示部とから構成される。
【０００５】
図５のものにおいては、主表示部は、縦１６ドット、横４８ドットの３文字表示用（合計７６８ドット）の主表示用ＬＥＤ１１から構成され、即ち１６×１６ドット構成のＬＥＤマトリクス３を横３文字分で縦１段に配置したものである。また、副表示部は、主表示部の下部に６個の副表示部ＬＥＤ１２を配置して構成されるものであり、副表示部実装基板５に実装されている。
【０００６】
このＬＥＤ表示装置では、図６のブロック図に示すように、主表示用ＬＥＤ１１に対して主表示用データを表示する主表示用ＬＥＤ駆動回路及び点灯制御回路１３ａ、副表示用ＬＥＤ１２に対して副表示用データを副表示用ＬＥＤ駆動回路及び点灯制御回路１３ｂを、それぞれ別々に設けている。
【０００７】
【発明が解決しようとする課題】
しかしながら、上記の図５に示した従来のＬＥＤ表示装置では、通常１６×１６ドット構成で形成されるＬＥＤマトリックス基板以外に、副表示用のＬＥＤ基板を新規に製作する必要があり、また副表示用ＬＥＤ基板の固定や、電源・駆動信号線の接続に、製作工数・追加部品が余計に必要となり、ＬＥＤ表示装置の製作コストを増大するという課題があった。
【０００８】
さらに、副表示用のＬＥＤ基板の部分だけ、主表示部分より余分なスペースが必要となるため、主表示だけを行うＬＥＤ表示装置より大きくなり、小型の表示装置が必要な場合不利であった。
【０００９】
一方、副表示用ＬＥＤを主表示用部分の内部に設けようとしても、小型のＬＥＤ表示装置の場合、主表示部分のＬＥＤの間に副表示用のＬＥＤを実装するスペースがなく、実現されていなかった。
【００１０】
また、図６に示したように、主表示データを表示するＬＥＤ駆動回路及び点灯制御回路１４ａと、副表示用データを表示するＬＥＤ駆動回路及び点灯制御回路１４ｂとを、別々に設けているため、それぞれの構成部品が必要となりＬＥＤ表示装置のコストアップの要因となっていた。
【００１１】
本発明は、上記のような課題を解決するためになされたものであって、低コストで主に表示する画像の視認性の向上を図れるＬＥＤ表示装置を提供することを目的とする。
【００１２】
【課題を解決するための手段】
上記課題を解決するために、複数の表示用ＬＥＤが配置されて成るＬＥＤ表示装置において、複数の表示用ＬＥＤの一部を他の表示用ＬＥＤと発光色が異なり副画像の表示を行う副表示用ＬＥＤとして構成している。
【００１３】
副画像の表示を行う副表示用ＬＥＤとして他の表示用ＬＥＤの発光色と異なるＬＥＤを用いているので、従来より装飾や強調の効果を向上させ、他の表示用ＬＥＤにより表示する画像の視認性を向上させることが可能となる。
【００１４】
さらに、副表示用ＬＥＤが表示部外周部の少なくとも１辺に配置される構成としている。
【００１５】
副表示用ＬＥＤが表示部外周部の少なくとも１辺に配置される構成としているので、他の表示用ＬＥＤにより表示する画像のをより効果的に装飾又は強調することができる。
【００１６】
また、文字が表示されるときに副表示用ＬＥＤの少なくとも一部が不点灯となる構成としている。
【００１７】
文字が表示されるときに副表示用ＬＥＤの少なくとも一部が不点灯となる構成としているので、主な表示として文字表示を行う場合に、点灯するＬＥＤが主表示を行うＬＥＤだけとなり、表示の一部が副表示部分と重なり文字欠けなどの不具合が発生せず、良好な表示を行える。
【００１８】
さらに、複数の表示用ＬＥＤが配置されて成るＬＥＤ表示装置において、複数の表示用ＬＥＤの一部を副画像の表示を行う副表示用ＬＥＤとして用い、その副表示用ＬＥＤが他の表示用ＬＥＤと共に共通の表示用データによる表示も行う構成としている。
【００１９】
複数の表示用ＬＥＤの一部を副画像の表示を行う副表示用ＬＥＤとして用い、その副表示用ＬＥＤが他の表示用ＬＥＤと共に共通の表示用データによる表示も行う構成としているので、主表示する画像の表示データが副表示用ＬＥＤの部分と重なっても、副表示用ＬＥＤが点灯し、主表示の欠けが発生せず、良好な表示を行える。
【００２０】
また、複数の主表示用ＬＥＤが配置されて成り主画像の表示を行う主表示部と、主表示用ＬＥＤと発光色が異なる複数の副表示用ＬＥＤが配置されて成り副画像の表示を行う副表示部とを備えて構成している。
【００２１】
副画像の表示を行う副表示用ＬＥＤとして他の表示用ＬＥＤの発光色と異なるＬＥＤを用いているので、従来より装飾や強調の効果を向上させ、他の表示用ＬＥＤにより表示する画像の視認性を向上させることが可能となる。
【００２２】
さらに、主表示部の主表示用ＬＥＤを駆動すると共に副表示部の副表示用ＬＥＤも駆動する駆動回路を備えて構成としている。
【００２３】
主表示部の主表示用ＬＥＤを駆動すると共に副表示部の副表示用ＬＥＤも駆動する駆動回路を備えて構成としているので、例えば１６×１６ドット構成のＬＥＤマトリックス基板を用いて表示するＬＥＤ表示装置でその一部の表示用ＬＥＤを副表示用ＬＥＤに置き換えるようにして、同一の駆動回路により主表示用ＬＥＤと共に副表示用ＬＥＤも駆動することにより、主表示用及び副表示用のＬＥＤ駆動回路を単一化し、ＬＥＤ表示装置の低コスト化を図ることができる。
【００２４】
また、主表示部の主表示用ＬＥＤの点灯制御を行うと共に副表示部の副表示用ＬＥＤの点灯制御を行う点灯制御回路を備えて構成している。
【００２５】
主表示部の主表示用ＬＥＤの点灯制御を行うと共に副表示部の副表示用ＬＥＤの点灯制御を行う点灯制御回路を備えて構成としているので、例えば１６×１６ドット構成のＬＥＤマトリックス基板を用いて表示するＬＥＤ表示装置でその一部の表示用ＬＥＤを副表示用ＬＥＤに置き換えるようにして、同一の点灯制御回路により主表示用ＬＥＤと共に副表示用ＬＥＤの点灯制御することにより、主表示用及び副表示用のＬＥＤ点灯制御回路を単一化し、ＬＥＤ表示装置の低コスト化を図ることができる。
【００２６】
また、１枚の基板上に複数の表示用ＬＥＤが実装されて成るＬＥＤ表示装置において、複数の表示用ＬＥＤの一部を副画像の表示を行う副表示用ＬＥＤとして用い、その副表示用ＬＥＤを含む複数の表示用ＬＥＤが同一の基板上に実装されるように構成している。
【００２７】
１枚の基板に実装された複数の表示用ＬＥＤの一部を副画像の表示を行う副表示用ＬＥＤとして用いる構成としているので、例えば１６×１６ドット構成のＬＥＤマトリックス基板に実装されたＬＥＤの一部を副表示用ＬＥＤとして置き換えるようにして、１枚のＬＥＤマトリックス基板だけで、主表示部と副表示とを行うことができる。したがって、副表示用のＬＥＤ基板を従来のように別途製作する必要がなくなり、更に副表示用基板の固定や電源・駆動信号線の接続等が不要となるので、ＬＥＤ表示装置の製造コストを低減させることが可能となる。さらに、例えば１６×１６ドット構成の１枚のＬＥＤマトリックス基板だけで、主表示部と副表示部とを構成できるので、副表示を行うＬＥＤ表示装置を、主表示だけを行うＬＥＤ表示装置と同一の大きさで装置を実現することができ、装置の小型が可能となる。
【００２８】
さらに、副表示用ＬＥＤが表示部の内部に配置される構成としている。
【００２９】
副表示用ＬＥＤが表示部の内部に配置される構成としているので、例えば１枚のＬＥＤマトリックス基板に実装されたＬＥＤの一部を副表示用ＬＥＤとして置き換えるようにして、小型のＬＥＤ装置にように、主な表示を行う表示用ＬＥＤの間に副表示用ＬＥＤを実装するスペースがなくても、表示部内部に副表示用ＬＥＤを設けることが可能となる。
【００３０】
また、文字が表示されるときに副表示用ＬＥＤの少なくとも一部が不点灯となる構成としている。
【００３１】
文字が表示されるときに副表示用ＬＥＤの少なくとも一部が不点灯となる構成としているので、主な表示として文字表示を行う場合に、点灯するＬＥＤが主表示を行うＬＥＤだけとなり、表示の一部が副表示部分と重なり文字欠けなどの不具合が発生せず、良好な表示を行える。
【００３２】
【発明の実施の形態】
以下、本発明の実施の形態について、図面を参照して説明する。
【００３３】
第１の実施形態のＬＥＤ表示装置の概略構造を示す要部正面図を図１に示す。図１に示すように、本実施形態のＬＥＤ表示装置は、１枚の基板から成る１６ドット×１６ドット構成のＬＥＤマトリックスユニット３を３個用いて、縦１×横３の３文字を表示するように構成したものである。そして、それぞれＬＥＤマトリックスユニット３は、主画像の表示を行う主表示用ＬＥＤ１と、主表示の装飾や強調のための副画像の表示を行い主表示用ＬＥＤ１と発光色が異なる副表示用ＬＥＤ２とから構成される。
【００３４】
したがって、本実施形態のＬＥＤ表示装置は、複数の表示用ＬＥＤ１，２の一部を置き換えるようにして、他の表示用ＬＥＤ１と発光色が異なり副画像の表示を行う副表示用ＬＥＤ２として構成されるものである。そして、その副表示用ＬＥＤ２を表示部外周部の１辺である最下部の１列に配置しており、即ちＬＥＤマトリックスユニット３の最下部１列に副表示用ＬＥＤ２を配置している。なお、表示用ＬＥＤ１は、主画像の表示を行う主表示用ＬＥＤ１として用いるものである。
【００３５】
また、本実施形態のＬＥＤ表示装置は、複数の主表示用ＬＥＤ１が配置されて成り主画像の表示を行う主表示部と、主表示用ＬＥＤ１と発光色が異なる複数の副表示用ＬＥＤ２が配置されて成り副画像の表示を行う副表示部とを備えるものである。
【００３６】
また、本実施形態のＬＥＤ表示装置は、１枚の基板上に複数の表示用ＬＥＤ１，２が実装されて成るＬＥＤマトリックスユニット３から成り、複数の表示用ＬＥＤ１，２の一部を置き換えるようにして、副画像の表示を行う副表示用ＬＥＤ２とし、副表示用ＬＥＤ２を含む複数の表示用ＬＥＤ１，２が同一の基板上に実装されるように構成されるものである。
【００３７】
さらに、本実施形態のＬＥＤ表示装置は、図２のブロック図に示すように、主表示部の主表示用ＬＥＤ１の駆動及び点灯制御を行うと共に副表示部の副表示用ＬＥＤ２の駆動及び点灯制御も行う単一の駆動回路及び点灯制御回路４を備えており、主表示用と別に副表示用の回路を必要としない。
【００３８】
以上のように、本実施形態によれば、例えば従来のＬＥＤマトリックス基板だけで、縦１５ドット、横４８ドットの３文字表示が可能な主表示部と、その下部に１列４８ドットの主表示部の装飾や強調をするために主表示部と異なる点滅灯の表示を行う副表示部とから成るＬＥＤ表示装置を構成することができる。したがって、主表示用ＬＥＤ１により表示される主表示を、副表示用ＬＥＤ２の表示によって装飾や強調を行い、主表示の視認性を向上させることができる。
【００３９】
次に、第２の実施形態について、その具体的な表示例を示す図３を用いて説明する。なお、第２の上記実施形態において、上記第１の実施形態と異なる点は、副表示用ＬＥＤ２として置き換えるＬＥＤを、各ＬＥＤマトリックスユニット３の最下部１列と最右部１列としているだけであり、その他は上記第１の実施形態と同様の構成である。
【００４０】
本実施形態のＬＥＤ表示装置は、図３に示すように、１６ドット×１６ドット構成のＬＥＤマトリックスユニット３を３個用いて、縦１×横３の３文字を表示するように構成したものである。そして、表示用ＬＥＤ１，２の一部を副表示用ＬＥＤ２として置き換え、主画像の表示を行う主表示部の主表示用ＬＥＤ１と副表示用ＬＥＤ２を備えた構成としている。
【００４１】
さらに、本実施形態では、主表示用ＬＥＤ１により文字が表示されるときに、副表示用ＬＥＤ２の一部を不点灯としているものである。すなわち、図３に示すように、「営業中」の３文字を長時間表示するように固定表示するような場合、主表示用ＬＥＤ１のうち、図中黒丸で示しているＬＥＤ１ａが点灯、白丸で示しているＬＥＤ１ｂが不点灯となっている。そして、副表示用ＬＥＤ２（図中斜線入り丸）は、不点灯となっている。
【００４２】
これは、一般的に、文字を表示する場合、隣接する文字間に空間をもたせて、文字が認識しやすくする必要がある。そこで、図３に示すように、１５ドット×１５ドットの主表示用ＬＥＤ１により文字表示を行い、文字間に空間をもたせるために、各ＬＥＤマトリックスユニット３の最外周の上下いずれかの行、及び左右いずれかの列の不点灯部として、副表示用ＬＥＤ２を用いてそれを不点灯としている。
【００４３】
なお、図３に示したものでは、副表示用ＬＥＤ２のうちＬＥＤ２ａ（図中×印入り丸）を、主表示用ＬＥＤ１ａと異なる発光色で点灯するものとして、それを点灯することにより、主表示の装飾・強調の効果を得られるようにしても良い。
【００４４】
以上のようにして、本実施形態によれば、文字を表示する場合に、主表示用ＬＥＤ１により表示される文字が、副表示用ＬＥＤ２と重なることなく、文字欠けなどの不具合が発生せず、良好な表示を行える。
【００４５】
次に、第３の実施形態について、その具体的な表示例を示す図４を用いて説明する。なお、第３の上記実施形態において、上記第２の実施形態と異なる点は、副表示用ＬＥＤ２として置き換えるＬＥＤを、各ＬＥＤマトリックスユニット３の内部に配置しているだけであり、その他は上記第２の実施形態と同様の構成である。
【００４６】
本実施形態のＬＥＤ表示装置は、図４に示すように、１６ドット×１６ドット構成のＬＥＤマトリックスユニット３を３個用いて、縦１×横３の３文字を表示するように構成したものである。そして、表示用ＬＥＤの一部を副表示用ＬＥＤとして置き換え、主画像の表示を行う主表示部の主表示用ＬＥＤと副表示用ＬＥＤを備えた構成としている。
【００４７】
本実施形態においても、上記第２の実施形態と同様に、図４に示すように、「営業中」の３文字を長時間表示するように固定表示するような場合、主表示用ＬＥＤ１のうち、図中黒丸で示しているＬＥＤ１ａが点灯、白丸で示しているＬＥＤ１ｂが不点灯となっている。
【００４８】
ところが、本実施形態では、副表示用ＬＥＤ２ｂ（図中×印入り丸）を表示部の内部に配置しているので、副表示用ＬＥＤ２ｂが主表示用ＬＥＤ１の点灯する部分と重なるようになり、その部分に主表示用ＬＥＤが存在しないことになる。すると、その副表示用ＬＥＤ２ｂを、上記第２の実施形態と同様に不点灯とすると、文字の一部が欠けて表示されることになる。
【００４９】
そこで、本実施形態では、副表示用ＬＥＤ２ｂも、主表示用ＬＥＤ１と共に共通の表示用データによる表示を行い得るものとしている。それには、例えば、副表示用ＬＥＤ２ｂでも、主表示用データを表示できるようなソフトウェアで駆動回路及び点灯制御回路を動作させて、上記のような文字欠けが発生しないようにすることができる。
【００５０】
そして、このとき副表示用ＬＥＤ２ｂを、主表示用ＬＥＤ１と異なる発光色で点灯させれば、表示の装飾性を増して、アピール度の高い表示を行うことができる。
【００５１】
また、そのように発光色が異なるような副表示用ＬＥＤ２ｂを用いた場合、主表示を行うのに不都合であれば、副表示用ＬＥＤ２ｂを、副表示用データのみを表示するように、例えばソフトウエア上で選択できるようにしておいても良い。そのとき、主表示の文字の一部が副表示用ＬＥＤ２ｂと重なって文字が欠けても、その欠けた部分は全体の１ドットなので、実質上文字の認識に大きな影響を与えないことが多い。
【００５２】
なお、上記実施形態において縦１、横３の３文字構成のＬＥＤ表示装置について説明したが、本発明はこれに限定されるものではなく、ほかの複数段、複数列構成のＬＥＤ表示装置にも適用できる。また、ＬＥＤマトリックスユニットについても、上記実施形態の１６ドット×１６ドット構成に限定されるものではなく、本発明は他のドット構成のものにも適用できるものである。
【００５３】
なお、上記実施形態において、副表示用ＬＥＤ２として主表示用ＬＥＤ１と発光色が異なるものを用いた場合について主に説明したが、これは例えば主表示が単色表示の場合にその装飾や強調をより効果的にするものである。これに限定されるものではなく、これらの発光色を同一としても良いが、例えば主表示が単色表示の場合には上記のように異なる発光色とすることが好ましい。
【００５４】
なお、副画像とは、主画像の装飾や強調を行うものであって、例えば１つのＬＥＤの点滅をも含むものである。
【００５５】
【発明の効果】
以上のように、本発明によれば、副画像の表示を行う副表示用ＬＥＤとして他の表示用ＬＥＤの発光色と異なるＬＥＤを用いているので、従来より装飾や強調の効果を向上させ、他の表示用ＬＥＤにより表示する画像の視認性を向上させることが可能となる。
【００５６】
さらに、副表示用ＬＥＤが表示部外周部の少なくとも１辺に配置される構成としているので、他の表示用ＬＥＤにより表示する画像のをより効果的に装飾又は強調することができる。
【００５７】
また、文字が表示されるときに副表示用ＬＥＤの少なくとも一部が不点灯となる構成としているので、主な表示として文字表示を行う場合に、点灯するＬＥＤが主表示を行うＬＥＤだけとなり、表示の一部が副表示部分と重なり文字欠けなどの不具合が発生せず、良好な表示を行える。
【００５８】
さらに、複数の表示用ＬＥＤの一部を副画像の表示を行う副表示用ＬＥＤとして用い、その副表示用ＬＥＤが他の表示用ＬＥＤと共に共通の表示用データによる表示も行う構成としているので、主のい表示する画像の表示データが副表示用ＬＥＤの部分と重なっても、副表示用ＬＥＤが点灯し、主表示の欠けが発生せず、良好な表示を行える。
【００５９】
また、副画像の表示を行う副表示用ＬＥＤとして他の表示用ＬＥＤの発光色と異なるＬＥＤを用いているので、従来より装飾や強調の効果を向上させ、他の表示用ＬＥＤにより表示する画像の視認性を向上させることが可能となる。
【００６０】
さらに、主表示部の主表示用ＬＥＤを駆動すると共に副表示部の副表示用ＬＥＤも駆動する駆動回路を備えて構成としているので、同一の駆動回路により主表示用ＬＥＤと共に副表示用ＬＥＤも駆動することにより、主表示用及び副表示用のＬＥＤ駆動回路を単一化し、ＬＥＤ表示装置の低コスト化を図ることができる。
【００６１】
また、主表示部の主表示用ＬＥＤの点灯制御を行うと共に副表示部の副表示用ＬＥＤの点灯制御を行う点灯制御回路を備えて構成としているので、同一の点灯制御回路により主表示用ＬＥＤと共に副表示用ＬＥＤの点灯制御することにより、主表示用及び副表示用のＬＥＤ点灯制御回路を単一化し、ＬＥＤ表示装置の低コスト化を図ることができる。
【００６２】
また、１枚の基板に実装された複数の表示用ＬＥＤの一部を副画像の表示を行う副表示用ＬＥＤとして用いる構成としているので、１枚のＬＥＤマトリックス基板だけで、主表示部と副表示とを行うことができる。したがって、副表示用のＬＥＤ基板を従来のように別途製作する必要がなくなり、更に副表示用基板の固定や電源・駆動信号線の接続等が不要となるので、ＬＥＤ表示装置の製造コストを低減させることが可能となる。さらに、１枚のＬＥＤマトリックス基板だけで、主表示部と副表示部とを構成できるので、副表示を行うＬＥＤ表示装置を、主表示だけを行うＬＥＤ表示装置と同一の大きさで装置を実現することができ、装置の小型が可能となる。
【００６３】
さらに、副表示用ＬＥＤが表示部の内部に配置される構成としているので、小型のＬＥＤ装置にように、主な表示を行う表示用ＬＥＤの間に副表示用ＬＥＤを実装するスペースがなくても、表示部内部に副表示用ＬＥＤを設けることが可能となる。
【００６４】
また、文字が表示されるときに副表示用ＬＥＤの少なくとも一部が不点灯となる構成としているので、主な表示として文字表示を行う場合に、点灯するＬＥＤが主表示を行うＬＥＤだけとなり、表示の一部が副表示部分と重なり文字欠けなどの不具合が発生せず、良好な表示を行える。
【図面の簡単な説明】
【図１】本発明の第１の実施形態のＬＥＤ表示装置の概略構造を示す要部正面図である。
【図２】実施形態のＬＥＤ表示装置のブロック図である。
【図３】第２の実施形態のＬＥＤ表示装置による具体的な表示例を示す要部正面図である。
【図４】第３の実施形態のＬＥＤ表示装置による具体的な表示例を示す要部正面図である。
【図５】従来のＬＥＤ表示装置の概略構造を示す要部正面図である。
【図６】従来のＬＥＤ表示装置のブロック図である。
【符号の説明】
１，１ａ，１ｂ  主表示用ＬＥＤ
２，２ａ，２ｂ  副表示用ＬＥＤ
３  ＬＥＤマトリックスユニット
４  表示用駆動回路及び点灯制御回路
【図１】
0003583642.tif 000002
【図２】
0003583642.tif 000003
【図３】
0003583642.tif 000004
【図４】
0003583642.tif 000005
【図５】
0003583642.tif 000006
【図６】
0003583642.tif 000007